(57)【要約】【課題】  水蒸気移動制御装置を箱体等の内部に収まるように取り付けて箱体外部への水蒸気移動制御装置の突出形状が機器配置にとって不都合を生じさせず、外観的に目立ち難くする。又、水蒸気の処理能力を超える水の排水経路を備え、排水経路に設けた多孔質リング体が水に濡れて膨潤しても取り付けに緩みが生じないようにした水蒸気移動制御装置の提供。【解決手段】  下端雄ネジ筒部３１を取り付け穴４０に箱体４の内部から外部に貫通させ、箱体の外部から取付ナット３２を螺合させ、箱体の内部に溜まった水を外部に排水する排水経路Ｗを形成させ、常時は多孔質リング体７ａに含浸させた水溶性シール物質により排水経路を閉塞させ、水の侵入時には水溶性シール物質を溶解させて排水経路を開通させ、多孔質リング体の厚みを一定の厚みに保持させるための保持リング８ａを備えている。【選択図】  図１
2009154112.tif 000002
【特許請求の範囲】
【請求項１】
通気性及び透湿性を有する膜体（２２）及びこの膜体（２２）に近接又は接触するように設けた導電性多孔体（２３）によって区画された少なくとも２室以上の小室（２４）が内部に形成されている小室ユニット（２）と、
基底面（３０ａ）に突出させた下端雄ネジ筒部（３１）が箱体等（４）の底壁（４１）に形成した取付け穴（４０）に箱体等（４）の内部から外部に貫通するように挿入され、この下端雄ネジ筒部（３１）に箱体等（４）の外部から取付ナット（３２）が螺合されることで箱体等（４）の底壁（４１）に取り付けられた外筒ケーシング（３）と、を備え、
この外筒ケーシング（３）の内部に前記小室ユニット（２）が嵌合され、
前記下端雄ネジ筒部（３１）の外周に吸水性に優れた多孔質リング体（７ａ）が装着され、
かつ前記多孔質リング体（７ａ）の内周に、該多孔質リング体（７ａ）の厚みを一定の厚みに保持させるための保持リング（８ａ）が装着されると共に、この保持リング（８ａ）が前記外筒ケーシング（３）の基底面（３０ａ）と箱体等（４）の底壁（４１）内面の間に前記取付ナット（３２）の螺合により締め付けられる状態に装着され、
前記箱体等（４）の内部に溜まった水が、多孔質リング体（７ａ）から前記保持リング（８ａ）に形成した通水溝（８１）を通り、さらに下端雄ネジ筒部（３１）に形成したスリット（３６）を経て下端雄ネジ筒部（３１）の内部に流入して外部に排水するように排水経路（Ｗ）が形成され、
前記排水経路（Ｗ）が多孔質リング体（７ａ）に含浸させた水溶性シール物質によって常時は閉塞され、水の侵入時には水溶性シール物質が溶解して排水経路（Ｗ）が開通するように形成されていることを特徴とした水蒸気移動制御装置。
【請求項２】
通気性及び透湿性を有する膜体（２２）及びこの膜体（２２）に近接又は接触するように設けた導電性多孔体（２３）によって区画された少なくとも２室以上の小室（２４）が内部に形成されている小室ユニット（２）と、
基底面（３０ａ）に突出させた下端雄ネジ筒部（３１）が箱体等（４）の底壁（４１）に形成した取付け穴（４０）に箱体等（４）の内部から外部に貫通するように挿入され、この下端雄ネジ筒部（３１）に箱体等（４）の外部から取付ナット（３２）が螺合されることで箱体等（４）の底壁（４１）に取り付けられた外筒ケーシング（３）と、を備え、
この外筒ケーシング（３）の内部に前記小室ユニット（２）が嵌合され、
前記下端雄ネジ筒部（３１）の外周に吸水性に優れた多孔質リング体（７ｂ）が装着され、
かつ前記多孔質リング体（７ｂ）の外周に多孔質リング体（７ｂ）の厚みを一定の厚みに保持させるための保持リング（８ｂ）が装着されると共に、この保持リング（８ｂ）が前記外筒ケーシング（３）の基底面（３０ａ）と箱体等（４）の底壁（４１）内面の間に前記取付ナット（３２）の螺合により締め付けられる状態に装着され、
前記箱体等（４）の内部に溜まった水が、前記保持リング（８ｂ）に形成した通水溝（８１）から多孔質リング体（７ｂ）を通り、さらに下端雄ネジ筒部（３１）に形成したスリット（３６）を経て下端雄ネジ筒部（３１）の内部に流入して外部に排水するように排水経路（Ｗ）が形成され、
前記排水経路（Ｗ）が多孔質リング体（７ｂ）に含浸させた水溶性シール物質によって常時は閉塞され、水の侵入時には水溶性シール物質が溶解して排水経路（Ｗ）が開通するように形成されていることを特徴とした水蒸気移動制御装置。
【請求項３】
請求項１又は２記載の水蒸気移動制御装置において、
前記多孔質リング体が、オブラート、セルロース、寒天たんぱく質、ゼラチン、でんぷんなどの水溶性物質を低いｐＨを有するタンニンを用いて一旦一部凝固させたエマルジョンを生成して、これを強く攪拌した不完全なゲル体をほぼ中性にさせて得た水和物の混合物を多孔質リング体の基材に吸着させて乾燥させることにより形成されている水蒸気移動制御装置。
【請求項４】
請求項１又は２又は３記載の水蒸気移動制御装置において、
多孔質リング体の表面に、硬化により皮膜を形成しやすい水溶性基剤をコーティングして形成した皮膜（７０）が形成されている水蒸気移動制御装置。
【発明の詳細な説明】
【技術分野】
【０００１】
本発明は、特殊な膜体とその配列で水蒸気の移動方向を制御することによって、主に、除湿装置として利用される水蒸気移動制御装置に関し、特に、この水蒸気移動制御装置の箱体への取り付け技術及び水蒸気移動制御装置内に侵入した水の排水技術に関する。
【背景技術】
【０００２】
水蒸気移動制御装置は外筒ケーシングの内部に小室ユニットが嵌合され、この小室ユニットに、通気性及び透湿性を有する膜体及び導電性多孔体によって区画された少なくとも２室以上の小室が形成された構造になっている。
そして、前記外筒ケーシングの一方を外気に開放し、他方を箱体等（箱体、容器等）の内部に開放する状態にして使用されるもので、前記各膜体の通気度及び透湿度を使用して、外気と箱体等の温度変動速度により、箱体等の内部の水蒸気の移動を制御するものである。
【０００３】
このような水蒸気移動制御装置の特徴は、水蒸気の移動量が大きい膜体を使用することで、電気箱や容器などの電気機器を収容する箱体等のシールに異常が発生した場合でも、可及的に水蒸気の排出を促進し、機器を収容する箱体等の内部の湿度調整を行うことができることである。
【０００４】
しかしながら、従来の水蒸気移動制御装置の箱体等への取り付け構造は、上端面に突出させた上端雄ネジ筒部を箱体等の底壁に形成した取り付け穴に箱体等の外部から内部に貫通させるように挿入させ、この上端雄ネジ筒部に箱体等の内部から取付ナットを螺合させることで箱体等に取り付けられている（特許文献１参照）。
【０００５】
このような取り付け構造では、水蒸気移動制御装置が箱体等の底壁外面に下向きに大きく突出した状態になってしまい、この箱体外部への水蒸気移動制御装置の突出形状が機器配置にとって不都合を生じさせることがある。
又、水蒸気移動制御装置が箱体等の底壁外面に下向きに大きく突出した状態は、外観的に目立ち易く、見栄えを損なうといった問題があった。
【０００６】
又、水蒸気移動制御装置では、水蒸気の処理能力を超える水が、湿度調整の対象となる空間内に侵入した場合には、排水ができず、水が滞る結果を招いてしまうことがあるという問題がある。
【０００７】
水蒸気の処理のためには、湿度調整の対象となる空間が、環境温度変化に伴って、外部環境空気との間で呼吸現象を生じるようにする必要がある。
従来、この呼吸現象を調整する目的で、アキュムレータを併用したり圧力安全弁を併用したり、または、小室壁を伸縮可能な部材で構成したりして、湿度調整の能力を調整する態様はすでに明らかである。
しかしながら、ひとたび水蒸気の処理能力を超える水が、湿度調整の対象となる空間内に侵入した場合に、どのように排水路を確保するかという課題が残されていた。
【０００８】
すなわち、湿度調整の対象となる空間の湿度調整を受ける機器を保護する場合、従来の装置では、水蒸気の移動量が大きな膜体を使用することで、各シール部へのストレスを低減する工夫が行われていた。
一方、箱体等のシール性（気密性確保の各種手段による気密性）の寿命が、環境温度変化を伴った外部環境空気との呼吸現象によって、直接的に水蒸気移動制御装置などの機能性の発揮に影響することになり、大きなシール性の破損や破壊、ヒューマンエラー等の事故による水の侵入が発生してしまった場合などや、または外部環境空気との呼吸性が失われた条件下では、排水が困難であるという問題があった。
【０００９】
なお、本出願人において、水蒸気の処理能力を超える水が侵入した場合等に対処すべく、非常用の排水構造を備えた水蒸気移動制御装置を本願に先行して出願している（特願２００７−３５８８１）。
その非常用の排水構造は、箱体等の内部から外部に至る排水経路が形成されると共に、この排水経路に多孔質リング体が設けられ、この排水経路が多孔質リング体に含浸させた水溶性シール物質によって常時は閉塞され、水の侵入時には水溶性シール物質が溶解して排水経路が開通するように形成したものである。
【００１０】
しかしながら、この先行技術では、多孔質リング体が外筒ケーシングの基底面と箱体等の底壁内面の間に直接に装着されているため、この多孔質リング体に水が到達した場合、この多孔質リング体が膨潤して柔軟になり、外筒ケーシングを箱体等の底壁に取り付けるための取付ナットが緩むという問題を残していた。
【特許文献１】特開２００５−２９１５４４号公報
【発明の開示】
【発明が解決しようとする課題】
【００１１】
本発明は、かかる従来の問題を解決するためになされたもので、水蒸気移動制御装置を箱体等の底壁外面に下向きに大きく突出させるのではなく、箱体等の内部に収まるように取り付けることで、箱体外部への水蒸気移動制御装置の突出形状が機器配置にとって不都合を生じさせることがなく、又、外観的に目立ち難く水蒸気移動制御装置を取り付けるようにする。
【００１２】
又、水蒸気の処理能力を超える水が侵入した場合等に対処すべく、多孔質リング体を利用した非常用の排水構造を備え、特に、この多孔質リング体が水に濡れて膨潤しても取付ナットに緩みが生じることがないようにした水蒸気移動制御装置を提供することを課題としている。
【課題を解決するための手段】
【００１３】
上記の課題を解決するために、本発明（請求項１）の水蒸気移動制御装置は、
通気性及び透湿性を有する膜体（２２）及びこの膜体（２２）に近接又は接触するように設けた導電性多孔体（２３）によって区画された少なくとも２室以上の小室（２４）が内部に形成されている小室ユニット（２）と、
基底面（３０ａ）に突出させた下端雄ネジ筒部（３１）が箱体等（４）の底壁（４１）に形成した取付け穴（４０）に箱体等（４）の内部から外部に貫通するように挿入され、この下端雄ネジ筒部（３１）に箱体等（４）の外部から取付ナット（３２）が螺合されることで箱体等（４）の底壁（４１）に取り付けられた外筒ケーシング（３）と、を備え、
この外筒ケーシング（３）の内部に前記小室ユニット（２）が嵌合され、
前記下端雄ネジ筒部（３１）の外周に吸水性に優れた多孔質リング体（７ａ）が装着され、
かつ前記多孔質リング体（７ａ）の内周に、該多孔質リング体（７ａ）の厚みを一定の厚みに保持させるための保持リング（８ａ）が装着されると共に、この保持リング（８ａ）が前記外筒ケーシング（３）の基底面（３０ａ）と箱体等（４）の底壁（４１）内面の間に前記取付ナット（３２）の螺合により締め付けられる状態に装着され、
前記箱体等（４）の内部に溜まった水が、多孔質リング体（７ａ）から前記保持リング（８ａ）に形成した通水溝（８１）を通り、さらに下端雄ネジ筒部（３１）に形成したスリット（３６）を経て下端雄ネジ筒部（３１）の内部に流入して外部に排水するように排水経路（Ｗ）が形成され、
前記排水経路（Ｗ）が多孔質リング体（７ａ）に含浸させた水溶性シール物質によって常時は閉塞され、水の侵入時には水溶性シール物質が溶解して排水経路（Ｗ）が開通するように形成されている構成とした。
【００１４】
又、本発明（請求項２）の水蒸気移動制御装置は、
通気性及び透湿性を有する膜体（２２）及びこの膜体（２２）に近接又は接触するように設けた導電性多孔体（２３）によって区画された少なくとも２室以上の小室（２４）が内部に形成されている小室ユニット（２）と、
基底面（３０ａ）に突出させた下端雄ネジ筒部（３１）が箱体等（４）の底壁（４１）に形成した取付け穴（４０）に箱体等（４）の内部から外部に貫通するように挿入され、この下端雄ネジ筒部（３１）に箱体等（４）の外部から取付ナット（３２）が螺合されることで箱体等（４）の底壁（４１）に取り付けられた外筒ケーシング（３）と、を備え、
この外筒ケーシング（３）の内部に前記小室ユニット（２）が嵌合され、
前記下端雄ネジ筒部（３１）の外周に吸水性に優れた多孔質リング体（７ｂ）が装着され、
かつ前記多孔質リング体（７ｂ）の外周に多孔質リング体（７ｂ）の厚みを一定の厚みに保持させるための保持リング（８ｂ）が装着されると共に、この保持リング（８ｂ）が前記外筒ケーシング（３）の基底面（３０ａ）と箱体等（４）の底壁（４１）内面の間に前記取付ナット（３２）の螺合により締め付けられる状態に装着され、
前記箱体等（４）の内部に溜まった水が、前記保持リング（８ｂ）に形成した通水溝（８１）から多孔質リング体（７ｂ）を通り、さらに下端雄ネジ筒部（３１）に形成したスリット（３６）を経て下端雄ネジ筒部（３１）の内部に流入して外部に排水するように排水経路（Ｗ）が形成され、
前記排水経路（Ｗ）が多孔質リング体（７ｂ）に含浸させた水溶性シール物質によって常時は閉塞され、水の侵入時には水溶性シール物質が溶解して排水経路（Ｗ）が開通するように形成されている構成とした。
【００１５】
又、本発明（請求項３）の水蒸気移動制御装置は、請求項１又は２記載の水蒸気移動制御装置において、
前記多孔質リング体が、オブラート、セルロース、寒天たんぱく質、ゼラチン、でんぷんなどの水溶性物質を低いｐＨを有するタンニンを用いて一旦一部凝固させたエマルジョンを生成して、これを強く攪拌した不完全なゲル体をほぼ中性にさせて得た水和物の混合物を多孔質リング体の基材に吸着させて乾燥させることにより形成されている構成とした。
【００１６】
又、本発明（請求項４）の水蒸気移動制御装置は、請求項１又は２又は３のいずれかに記載の水蒸気移動制御装置において、
多孔質リング体の表面に、硬化により皮膜を形成しやすい水溶性基剤をコーティングして形成した皮膜（７０）が形成されている構成とした。
【発明の効果】
【００１７】
本発明の水蒸気移動制御装置（請求項１、２）は、下端雄ネジ筒部を箱体等の底壁に形成した取り付け穴に箱体等の内部から外部に貫通させるように挿入させ、この下端雄ネジ筒部に箱体等の外部から取付ナットを螺合させる取り付け構造である。
【００１８】
従って、水蒸気移動制御装置が箱体等の底壁外面に下向きに大きく突出するといったことがなく、箱体等の内部に収まるように取り付けることができる。
これにより、箱体外部への水蒸気移動制御装置の突出形状が機器配置にとって不都合を生じさせることがないし、又、外観的に目立ち難く水蒸気移動制御装置を取り付けることができる。
【００１９】
又、排水経路が多孔質リング体によって常時は閉塞されているため、排水経路から水蒸気や空気が侵入することは無く、正常な水蒸気移動制御を行うことができる。
そして、水蒸気移動制御装置の処理能力を超える水が不測に侵入した場合、多孔質リング体に含浸させた水溶性シール物質が溶解して排水経路が開通するため、この排水経路を通して水を外部に排水することができる。
また、多孔質リング体が、外筒ケーシングの基底面と箱体等の底壁内面の間に配設されるため、排水経路の入口部分で水密性が確保され、排水経路を安全に維持することができる。
【００２０】
特に、本発明では、多孔質リング体の内周（請求項１）又は外周（請求項２）に保持リングを装着させ、この保持リングを外筒ケーシングの基底面と箱体等の底壁内面の間に取付ナットの螺合により締め付ける状態に装着した構成に特徴があり、この点において先行技術とは相違するものである。
【００２１】
従って、多孔質リング体に膨潤が発生した場合でも、保持リングによって外筒ケーシングの基底面と箱体等の底壁内面の間の距離を一定にできるので、多孔質リング体の弾力性を有効に維持できるし、箱体等の内部に水などが貯留していない乾燥状態にあっても多孔質リング体に適正な圧迫を与えて、この部分の気密性を維持できる。
又、取付ナットを強固に締め付けることができるため、水蒸気移動制御装置を確実に固定させることができる。
【００２２】
又、不完全なゲル体と、水和物の混合物を多孔質リング体の基材に吸着させて乾燥させることにより多孔質リング体を形成させると（請求項３）、ゲル体が吸着した部分では固形物がスポンジ状の多孔状に硬化するので、固さが高くなり、適度な弾性も発生し理想的な吸水体となる。
【００２３】
又、多孔質リング体の表面に皮膜を形成させると（請求項４）、外気からの水蒸気の吸湿を抑制するのに有効である。
【発明を実施するための最良の形態】
【００２４】
図１は本発明の請求項１に対応した水蒸気移動制御装置の第１実施例を示す縦断面図、図２はこの水蒸気移動制御装置に設けた多孔質リング体及び保持リングを示す斜視図である。
この第１実施例は、後述するように、多孔質リング体７ａの内周に保持リング８ａを装着させた例である。
【００２５】
この水蒸気移動制御装置１は、小室ユニット２が外筒ケーシング３の内部に嵌合されたもので、下端の通気口３８を外気に開放し、上端の通気口３９を、例えば箱体等（箱体、容器等）４の内部に開放する状態にして使用される。
【００２６】
前記小室ユニット２は、複数の円筒体２０の間に通気性及び透湿性を有する膜体２２及び導電性多孔体としての銅製のメッシュプレート２３が気密シール性を持つように挟持されたもので、その内部に膜体２２によって区画された小室２４が形成されている。
実施例では、４個の円筒体２０と、３枚の膜体２２とによって２個の小室２４が区画形成されている。
【００２７】
なお、前記各膜体２２は、通気性及び透湿性を有する膜体で、プレスによる打ち抜き加工等で所定直径の円形膜に形成され、その通気度及び透湿度を使用して、外気と箱体等４内の温度変動速度により、箱体等４の内部を除湿するように水蒸気の移動を制御するものである。
【００２８】
導電性多孔体としてのメッシュプレート２３は、膜体２２に近接又は接触して配置され、表面温度による影響を利用して通過する水蒸気の温度勾配及び湿度勾配を調整するためと、膜体２２を補強する膜体支持部材として機能する。
又、箱体等４側の呼吸現象に伴って、膜体２２の伸長等により、膜体２２とメッシュプレート２３は接触することがある。
【００２９】
水蒸気移動制御装置１では、平面状の膜体２２を用いて水蒸気の移動速度の調整を行うもので、この膜体２２を通過する水蒸気は通過する膜体２２の温度によって透過速度が変化する。
熱設計を容易にさせ、かつ動作を安定化させるためには、できるだけ膜体２２の表面温度を均質にして温度分布幅を小さくする必要がある。
もしも膜体２２内において、ある部分の温度が高く、それ以外の部分が低くなると、その温度分布の平面が接触する空間で熱交換を行うメッシュプレート２３（導電性多孔体）が無ければ、空気との熱交換の結果、対流が発生し、水蒸気の移動速度にむらが発生してしまい、水蒸気移動の方向性の秩序が乱されてしまうことが考えられる。
【００３０】
そこで、メッシュプレート２３の熱分布の分散を最小限にさせて、水蒸気の移動境界面の温度変化に同一の平面が均質な温度に早く変化することができるように構成するのが好ましい。
【００３１】
前記円筒体２０はアクリル樹脂等の透明合成樹脂により形成され、内部に組み込んだ膜体２２及びメッシュプレート２３を目視で確認できるようにしている。
【００３２】
前記外筒ケーシング３は、本体円筒部３０と、この本体円筒部３０の基底面３０ａに下向きに突出させた下端雄ネジ筒部３１に螺合させる取付ナット３２と、前記本体円筒部３０の上端に形成した上側雄ネジ部３３に螺合させる組立ナット３４を備えている。
【００３３】
そして、前記本体円筒部３０の内部に、パッキン６２を介して前記小室ユニット２を嵌合することで、水蒸気移動制御装置１が組立てられるもので、この場合、本体円筒部３０の上端からパッキン６２、小室ユニット２、押えリング６１を順に挿入したのち、組立ナット３４を上側雄ネジ部３３に螺合させて、この組立ナット３４により小室ユニット２を上から締め付けて本体円筒部３０の内部に収容保持させるものである。
【００３４】
なお、前記押えリング６１は、組立ナット３４の締め付けによって前記小室ユニット２をパッキン６２に対して押え付けて、このパッキン６２による気密性を維持させ、かつ小室ユニット２と本体円筒部３０の内面との隙を塞いで気密性を持たせるためのものである。
【００３５】
上記のようにして、本体円筒部３０の内部に小室ユニット２を嵌合した水蒸気移動制御装置１は、これを箱体等４に取り付けて、前記各膜体２２の通気度及び透湿度を使用して、両通気口３８、３９間での水蒸気の移動を制御することで、外気と箱体等４の温度変動速度により、箱体等４の内部を除湿するように水蒸気の移動を制御する。
【００３６】
この場合、箱体等４の底壁４１に形成した取り付け穴４０に、外筒ケーシング３の下端雄ネジ筒部３１を箱体等４の内部から外部に貫通するように下向きに挿入させ、この下端雄ネジ筒部３１に箱体等４の外部からパッキン９を介して取付ナット３２を螺合させることで箱体等４に水蒸気移動制御装置１（外筒ケーシング３）を取り付けるようにしている。この場合、取付ナット３２はパッキン９の弾力性で固定される。
又、前記パッキン９は耐熱シールとしても機能するもので、この部分に熱が加わった場合の底壁４１の熱膨張を予防し、及び水蒸気移動制御装置１の底壁４１への取り付け部分に侵入した水の凍結膨張を緩衝し、固定力の減弱と下端雄ネジ筒部３１への応力集中を予防する。
【００３７】
本実施例の水蒸気移動制御装置１では、箱体等４に穴が明いたりして、不測に箱体等４の内部に水が侵入した場合、その水を箱体等４の外部に排水するための排水構造が設けられている。
【００３８】
水蒸気移動制御装置の理想的な機能発揮のためには、外部環境の温度変化に伴う湿度調整空間の内部と外気側との呼吸現象が必要であり、シール性は少なくとも水蒸気移動制御装置が調整することが可能な２０〜３０％ＲＨの除湿に相当する水蒸気圧に室温近辺でほぼ等しい１０ｃｍ水柱圧程度の気密性に耐える微弱なシール性が必要である。しかし、ひとたび大きなシール性の破損や破壊、事故による水の侵入が発生してしまった場合等や、呼吸性が失われた条件下では排水が困難である。
そこで、水の侵入が発生するまでは、湿度調整の対象となる空間の気密性を確実に確保すると共に、湿度調整機能を十分に発揮させる。
一方、シールなどの箱体等４側の不測の破損などが原因で水が侵入した場合には、湿度調整による水蒸気移動量を超える状況にあり、この状態が自然に復旧することは、電気機器などを収容する容器または箱体では考えにくい。そこで、水の侵入が発生した場合には、排水構造によって排水を確保することとした。この段階では、呼吸性よりも排水経路の確保が重要であり、湿度調整の能力は望めない。
【００３９】
その排水構造は、外筒ケーシング３に形成した下端雄ネジ筒部３１にスリット３６を形成し、そして、下端雄ネジ筒部３１の外周に吸水性に優れた多孔質リング体７ａを嵌め込んでいる。
更に、この多孔質リング体７ａの内周に、該多孔質リング体７ａの厚みを一定の厚みに保持させるための保持リング８ａを装着させると共に、この保持リング８ａを前記外筒ケーシング３の基底面３０ａと箱体等４の底壁４１内面の間に前記取付ナット３２の螺合により締め付ける状態に装着させている。
【００４０】
前記保持リング８ａは、外筒ケーシング３の下端雄ネジ筒部３１の外周に嵌着され、この保持リング８ａの外周に多孔質リング体７ａが装着されている。
なお、この保持リング８ａを下端雄ネジ筒部３１の外周に螺合によって装着させてもよい。
又、この保持リング８ａは孔質リング体７ａの内周面をカバーするように円環体に形成され、その底面には所定の間隔で複数個の通水溝８１が形成されている。
【００４１】
したがって、図５に示すように、排水経路Ｗとしては、前記箱体等４の内部に溜まった水が、多孔質リング体７ａから前記保持リング８ａの底面に形成した通水溝８１を通り、さらに下端雄ネジ筒部３１に形成したスリット３６を経て下端雄ネジ筒部３１の内部に流入して外部に排水するように形成されている。
【００４２】
前記排水経路Ｗは、多孔質リング体７ａの透水空隙Ｓ（図５に示す）に含浸させた水溶性シール物質によって常時は閉塞され、水の侵入時には水溶性シール物質が溶解して排水経路Ｗが開通するように形成されている。
【００４３】
箱体等４に破損が発生し、箱体等４内へ外部の水が流入したような場合には、箱体等４の内部に水が貯留してしまう。
このように箱体等４の底面に水が溜まったとしても、その水は多孔質リング体７ａを備えた前記排水経路Ｗから外部に排水することが可能になる。
【００４４】
前述したように、多孔質リング体７ａの透水空隙Ｓには、乾燥状態では固形で、かつ気密性を有する水溶性シール物質を充填（含浸させて乾燥）させている。
箱体等４の内部に一定量を超える水が侵入した場合には、多孔質リング体７ａ内に吸収される水によって、多孔質リング体７ａは膨潤して固形形態を維持できなくなり、かつ、多孔質リング体７ａの透水空隙Ｓに固形で存在していた水溶性シール物質が水中に溶出して、排水経路Ｗが開通し、この排水経路Ｗを通して外部に排水することができるようになる。
【００４５】
特に、本発明では、多孔質リング体７ａの内周に保持リング８ａが装着されているため、多孔質リング体７ａが膨潤した場合でも、保持リング８ａによって外筒ケーシング３の基底面３０ａと箱体等４の底壁４１内面の間の距離を一定にできるため、多孔質リング体７ａの弾力性を有効に維持できるし、乾燥状態にあっても多孔質リング体７ａに適正な圧迫を与えて、この部分の気密性を維持することができる。
又、取付ナット３２を強固に締め付けることができるため、水蒸気移動制御装置１を確実に固定させることができる。
【００４６】
なお、保持リング８ａ及び多孔質リング体７ａの組み付けに際しての手順の第１例としては、まず、保持リング８ａを下端雄ネジ筒部３１の外周に嵌め込んで、外筒ケーシング３の基底面３０ａに接触固定させる。
その後、この保持リング８ａの外周面及び前記基底面３０ａに水溶性糊剤（例えば、アラビア糊やカプセル基剤）を塗布し、次に、水溶性シール物質を含浸させて既に乾燥済みの多孔質リング体７ａを保持リング８ａの外周に装着し，この上面から水溶性糊剤をさらに塗布して、図５のように皮膜７０を形成する。この乾燥後に完成となる。
【００４７】
手順の第２例としては、予め保持リング８ａに多孔質リング体７ａを装着固定させておくもので、保持リング８ａに乾燥済みの多孔質リング体７ａを水溶性糊剤にて固定して乾燥させ、その乾燥が完了した後、多孔質リング体７ａを装着固定させた状態のまま保持リング８ａを下端雄ネジ筒部３１の外周に嵌め込んで（螺合でもよい）、外筒ケーシング３の基底面３０ａに水溶性糊剤を介して接触固定させる。
【００４８】
多孔質リング体７ａに水溶性シール物質を含浸させた状態のまま装着する場合、表面の水溶性糊剤が重力によって箱体等４の底壁４１内面側に移動し、被覆した皮膜７０の不均質性が現れる。この結果，排水までに要する時間が延長してしまい、水溶性糊剤の分布が所定の設定方向とは上下逆方向に濃度分布する結果となり不都合である。
そこで、乾燥した多孔質リング体７ａを水溶性糊剤にて固定するものである。
【００４９】
又、前記皮膜７０は、図５に示すように、多孔質リング体７ａの表面に形成されるもので、この場合、溶解しにくい皮膜７０の内側に、アラビア糊の不完全乾燥部である飽和域７０ａ、アラビア糊がフェルト質に含浸した拡散域７０ｂが形成される。
なお、硬化により表面に皮膜７０を形成しやすい水溶性基剤としては、アラビア糊の他、ゼラチンなどを含有する日本薬局方のカプセル基剤などを用いることができるもので、これを多孔質リング体７ａの表面にコーティングするとよい。
【００５０】
このように表面に皮膜７０を形成させた場合、水蒸気移動制御装置１を箱体等４に取り付ける際に、切手の如く前記皮膜７０を筆やハケ塗り等で水に濡らすことにより、皮膜７０に接着力を持たせることができる。
その上で多孔質リング体７ａを装着させれば、多孔質リング体７ａが外筒ケーシング３の基底面３０ａと箱体等４の底壁４１内面とに密着して接着し、気密性を確保しながら確実に装着することができる。
【００５１】
なお、上記のように、皮膜７０を筆やハケ塗り等で水に濡らして装着させる以外に、ゲル体の乾燥が行なわれた後に表面に皮膜７０を形成させた多孔質リング体７ａでは、その表面の皮膜７０は多孔質リング体７ａの中心部から吸湿されており、かつ空気中の湿気を吸湿して湿っているため、外筒ケーシング３の基底面３０ａと箱体等４の底壁４１内面とに密着して接着させることができる。
【００５２】
又、本実施例では、下方からの吹き上げなどによる風雨が下端の通気口３８から侵入するのを防止するための構造として、下端の通気口３８にメッシュ５０がリング体５１により隙間無く取り付けられており、このメッシュ５０によって風速を減弱させるようにしている。
この結果、前記下端雄ネジ筒部３１に形成されたスリット３６は真下からの風雨の直撃を避けることができる。
【００５３】
また、下端雄ネジ筒部３１の内部には空間部３１ａが形成され、これにより斜め下からの吹き上げによって空間部３１ａの中で乱流が形成され、風速が減弱される結果、排水経路Ｗからの風雨の侵入を抑えることができる。
【００５４】
又、排水経路Ｗには、下端雄ネジ筒部３１と取付ナット３２によるネジ山とネジ谷があり、これにより排水経路Ｗ内の風速はさらに減弱されて多孔質リング体７ａは外気側からの風雨の侵入から遠ざけられ、箱体等４の底部に水が貯留した場合のみ排水を行うための排水路（通気路にもなりうる）を形成することができ、水蒸気移動制御装置１の機能保全にとって重要な効果を発生させる。
【００５５】
また、前記排水経路Ｗを構成するスリット３６は、空間部３１ａに直接に面している。
そこで、この空間部３１ａ内における水の侵入を阻止する構造として、シース状挿入チューブ５２が下端雄ネジ筒部３１内にスリット３６の上端より上に延長する状態で挿入固定されている。
この結果、図５に示すように、空間部３１ａには排水経路Ｗの下端出口Ｗａ部分のみが開口されることになり、外気からの雨滴などの侵入から多孔質リング体７ａを保護することができる。
【００５６】
次に、多孔質リング体７ａについては、外気側からのしめり空気に対するシール性の維持が問題になる。
多孔質リング体７ａの湿り具合は、浸潤した水の量、すなわち、該多孔質リング体７ａに接触する水の量に依存するほか、外気側からのしめり空気の逆行性の侵入によっても影響を受ける。このような二律背反による悪作用を解決するための解決手段としては、前記多孔質リング体７ａの基材を、たとえばフェルト状の多孔質繊維により形成し、これに、水溶性シール物質を含浸させたフェルト材を活用する。
【００５７】
この結果、外気との通気路となる排水経路Ｗに、フェルト材等の多孔体がエアーフィルタリングを行い、箱体等４内の呼吸現象に伴う外気中の塵埃等の箱内侵入を予防するという効果が得られる。
【００５８】
従来行われてきたように、外部への排水孔を箱体等の底部に設ける手段に比較すると、箱体等４の内部は、フェルト材によってフィルタリングされるので、何らかの原因によって不完全な呼吸現象が発生した場合でも、湿度調整機能は維持されやすい状態を保持する。
また、前記多孔質シール体７ａの圧迫度合いによっては、毛細管現象による排水能力の調整が可能である。
【００５９】
なお、多孔質シール体７ａの圧迫性の調整は、保持リング８ａの高さによって調整によって可能である。
この圧迫性が強ければ、水溶性シール物質の有効断面積の排水路は小さくなり、緩ければ緩慢な気密性となる。
【００６０】
又、多孔質リング体７ａの素材として実施例ではフェルト材を示したが、このほか圧縮性を有した多孔性の繊維性素材を使用することができる。
【００６１】
また、水溶性シール物質の耐熱性は重要であって、屋外電気箱では６５℃を超える場合も認められる。そこで、通常の乾燥状態で固形であって、気密性を有するオブラート、セルロース、寒天たんぱく質、澱粉などが水溶性シール物質としては有用である。
【００６２】
又、吸水性の物質を、箱体等４の湿度調整を行う空間の気密性確保に使用するにあたっては、自然界に存在する細菌や黴などによって分解されることが考えられるので、前記水溶性シール物質には、防黴剤や抗菌剤を混合使用するとよい。
これらの抗菌素材で最も有用であると考えられる物質は、銅や銀粉末やその他の化合物が有用であって、排水経路Ｗにこのようなオリゴジナミー効果を有する物質を配置してもよい。膜体に使用したオリゴジナミー効果を排水経路Ｗの安全確保時にも併用することで、廃棄物化した場合等も処理方法が限定され、経済的である。
又、水溶性シール物質に虫避け剤等を混合してもよい。
【００６３】
多孔質リング体７ａの素材に使用した繊維が、図６に示すように吸湿性繊維７ａ−１の場合、水溶性シール物質と同時又は低い湿度（６５％ＰＨ）でも繊維に吸湿が生じることがあるのに対し、図７に示すように繊維が非吸湿性繊維７ａ−２の場合には、繊維に吸湿が生じ難いため、水が水溶性シール物質に直接接触するまでは、図８のグラフに示すように、硬さ（気密性）を維持し易いという利点がある。又、多孔質リング体７ａは図２に示すように環状であるため、箱体等４の底面のどの方向から水がきても排水が早期に開始しやすい。
なお、前記図６及び図７は多孔質リング体７ａの部分断面図であり、図８は吸湿性繊維７ａ−１と非吸湿性繊維７ａ−２の吸水による硬度変化を示すグラフである。
【００６４】
前記多孔質リング体７ａの水溶性シール物質に関し、通常の乾燥状態で固形であって、気密性を確保することができるオブラート、セルロース、寒天たんぱく質、ゼラチン、でんぷんなど、水溶性シール物質のみで構成した場合、虫等による食害を防止するため防虫剤を混合することが考えられるが、このような防虫剤として使用されるタンニンは、酸性度がｐＨ３〜４と高いという問題がある。
また、多孔質リング体７ａに含浸させた物質が、固形溶解物質のみであれば、吸水膨張による変形の後の崩壊現象の発生は遅く、また水の経路の生成に長時間（３ｍｍ厚さの多孔質リング体での試験結果では２４時間以上）を要する。
このような問題点に対して、排水機能をより確実にし俊敏な反応が得られ、かつ耐力の高い排水構造が要求される。
【００６５】
そこで、前記防虫剤として使用されるタンニンは、酸性度がｐＨ３〜４と高いものであるが、タンニンの混合後にｐＨ調整を行い、ほぼ中性に調整する目的で緩衝剤などを配合する。
たとえば、柱上に懸垂される電気箱などでは、事故により電気箱に貯留した水が下方への落下することが考えられる。このような場合、落下する水のｐＨは中性であることが望ましい。また、防腐剤は、天然素材で構成されることが望ましい。
【００６６】
タンニンは、いわゆる柿渋から抽出された防腐性物質で、収斂作用が認められるので高濃度を使用すると危険である。
しかし、ｐＨを中性に調整しても、なおかつ錯塩や酸で飽埋された状態であれば、タンニンの有効成分は不完全ゲル体の水和物中の水溶性成分として増量させやすいので、防腐効果を得やすいことが考えられる。
なお、タンニン酸を防腐剤や防虫剤として用いることができるもので、このタンニン酸は自然界に存在する材料であって、毒性が低く安全である。
【００６７】
この他、ゲル体の粘性調整には、塩析を活用する方法も用いても良い。
この場合にはゲル体の中に含まれる架橋ゲル構造分子を構成するカルボキシル基などによって構成される親水性コロイドの凝集を活用するが、このとき、電解質を添加すると親水コロイドは凝析する。
タンパク質に対する塩析効果の強いイオンから弱いイオンへの序列は、アニオンについては、ＳＯ4−＞Ｆ−＞Ｃｌ−＞Ｂｒ−＞ＮＯ3−＞Ｉ−＞ＳＣＮ−、一価カチオンについては、Ｌｉ+＞Ｎａ+＞Ｋ+＞Ｒｂ+＞Ｃｓ+、二価カチオンについては、Ｍｇ2+＞Ｃａ2+＞Ｓｒ2+＞Ｂａ2+などが知られており（物性物理学：製剤学へのアプローチ：大島広行、半田哲郎：株式会社南江堂：２００３年７月２０日発行：ｐ．１２５）、これらの物質を活用して、コロイドの粘性を調整してもよい。
ただし、これらの中で、金属腐食性の高い物質として、Ｃｌ−、Ｉ−などのアニオンが知られており、使用しないほうが望ましい。
ＮａやＫなどやＣａなどは大気中の水蒸気にも多く含まれるので、使用上乾燥状況でも、経年劣化に伴う物性変化など、多孔質リング体７ａの呼吸現象が少ないことが予測され、安全である。
【００６８】
水和性を向上させる目的で、薬剤の崩壊と溶解を促進させるためには、一般には、ぬれを向上させ、崩壊を促進するためには毛管現象による崩壊機構を用いて、崩壊剤が空隙を通じて吸水し、空隙を広げて粒子間結合力を低下させてマトリックスを崩壊させる方法が知られている（花野学、寺田勝英、伊藤敏智夫編集：Ｐｐ.５９−６２：薬剤学：改訂第６版：１９８４年９月１５日第１版第1刷発行：２００５年６月１日第６版第２刷発行：株式会社南江堂）。
【００６９】
ところで、水蒸気移動制御装置１にあっては、箱体等４の置かれた環境温度の変化に伴って発生する呼吸現象は、水蒸気移動制御装置１の排水構造に対してストレスを与える。
そこで水溶性シール物質に求められる特性としては、乾燥状態の固形性質を向上させ、湿潤した場合には直ちに溶解する性質が必要である。
そのためには、湿潤しやすい状況を排水構造に準備するとともに、乾燥状態の時にはシール剤としての特性を確保する必要がある。
そこで、吸水性の高いフェルト状の繊維を環状に形成し、これに、水和性の高い物質を吸着させ、かつ水の浸透を促進するために、水の経路となる空間に空気を残留させる必要がある。
【００７０】
このためには、オブラート、セルロース、寒天たんぱく質、ゼラチン、でんぷんなどの水溶性物質を低いｐＨを有するタンニンを用いて一旦一部凝固させたエマルジョンを生成し、これを強く攪拌して得た不完全なゲル体を緩衝剤などを用いてほぼ中性にする、次に、このようにして得た水和物の混合物をフェルト質のシール体に吸着させ、これを乾燥させることで、図５に示すように、水が存在していたフェルト質は乾燥により空気によって占められる透水空隙Ｓになり、ゲル体が吸着した部分ではオブラート、セルロース、寒天たんぱく質、ゼラチン、でんぷんなどが固形物として付着する理想的な吸水体となる。
【００７１】
これらの物質は、吸水して膨潤し、シール体としての多孔質リング体７ａを変形させつつ崩壊を促進し、短時間で排水することができる。
例えば、３ｍｍ厚さの多孔質リング体での試験結果では１分３０秒から３分にて排水開始することが認められた。
もしも、膨潤する性質のみの固形溶解物質のみであれば、吸水膨張による変形の後の崩壊現象の発生は遅く、また水の経路の生成に長時間を要した。
例えば、３ｍｍ厚さの多孔質リング体７ａでの試験結果では２４時間以上を要した。
【００７２】
即ち、不完全なゲル体のエマルジョンの水で占められていた空隙が乾燥して不定形の透水空隙Ｓが形成される。
この透水空隙Ｓは繊維に支持され、繊維に付着し、又は繊維間を連絡する乾燥した固形物によるスケルトン構造となる。
又、崩壊する固形物の延べ経路距離が短くなるので、崩壊が水に接触したときから早く発生する。
一方、完全ゲル体の乾燥物または乾燥固形物では、透水空隙Ｓは得られにくく、乾燥した固形物の塊になりやすい。
また、崩壊する固形物ののべ経路距離が非常に長くなるので、水に接触したときから非常に長い時間を経過して緩慢に崩壊が発生することになる。
【００７３】
多孔質リング体７ａの内部の溶解性を向上させる要素として、上記のような、膨潤性の物質を用いると崩壊を促進することができるが、溶解に影響する因子としては、
ａ）結晶多形（同一の化合物であるにもかかわらず結晶中における分子の三次元的な配列の仕方の異なるもの）では形態によりことなる溶解性を示すことが知られており、
ｂ）非晶質（固体中の三次元における分子配列に一定の規則性をもたないもの）では結晶よりも高い溶解性を示す。
ｃ）水和物（結晶中に水分子を一定の化学量論比で含むもの）は無水物よりも溶解度が低いがエネルギー的には安定しているものといわれている。
ｄ）コソルベンシーｃｏｓｏｌｖｅｎｃｙ(水に難溶性の物質に水に可溶性の有機溶媒としてエタノールやプロピレングリコール、グリセリン、マグロコール４００などを混合したとき、それぞれ単独の場合に比べて著しく溶解度を増大させる現象)である。
ｅ）塩および共沈物は水に溶解しやすい、などが知られている。
（花野学、寺田勝英、伊藤敏智夫編集：Ｐｐ.６８−７１：薬剤学改訂第６版：１９８４年９月１５日第１版第１刷発行：２００５年６月１日第６版第２刷発行：株式会社南江堂）。
【００７４】
このような溶解性を向上させる手段として、前記ａ）、ｂ）のような結晶多形、非晶質であり、かつ水和物である前述のオブラート、セルロース、寒天たんぱく質、ゼラチン、でんぷんなどは酸性にてゲル化しやすい。
また、一般塩のなかでもＮａＣｌは金属腐食性物質として知られているが、グルタミン酸は単純なカルボキシル基を有し、吸水性を持つが腐食性は低く生体への害は低い。
また、食物にも用いられるので安全である。
また、エマルジョンのゲル体と非ゲル体の混合物へのタンニンの混合率を上昇させるためには、エタノールやプロピレングリコール、グリセリン、マグロコール４００などを用いて、コソルベンシー効果を活用し、溶解度調整を行うと良い。
この中で、エタノールは乾燥を促進する効果が得られ、排水機構の製造過程の時間短縮に好適である。また、プロピレングリコールは防黴特性に優れ頭髪洗剤などにも頻用されているので安全である。一方、グリセリンは膜汚損を生じるおそれが高い。
【００７５】
ところで、多孔質リング体７ａ自体の吸水性や吸湿性が高い場合、外気からの水蒸気の吸着が生じ、大きなエアーリークの原因となることが考えられる。
この対策としては、多孔質リング体７ａの繊維を吸水性の高い繊維、例えばナイロンやポリエステルなどで構成すると、吸水性を維持しやすいのでこれらの繊維を活用し、また、吸湿しても弾性を維持しやすいようにする工夫が必要となる。
【００７６】
そこで、前述のオブラート、セルロース、寒天たんぱく質、ゼラチン、でんぷんなどの水溶性物質を低いｐＨを有するタンニンを用いて一旦一部凝固させたエマルジョンを生成して、これを強く攪拌した不完全なゲル体に対して緩衝剤などを用いてほぼ中性にさせて得た水和物の混合物をフェルト質のシール体に吸着させ、これを乾燥させるものである。
これにより、ゲル体が吸着した部分ではオブラート、セルロース、寒天たんぱく質などの固形物が、スポンジ状の多孔状に硬化し、スケルトン構造（骨髄組織様）になり、固さが高くなり、適度な弾性も発生して都合がよい。
なお、タンニン酸などの防腐処理した寒天乾燥による多孔質リング体も適用可能である
【００７７】
次に、図３は本発明の請求項２に対応した水蒸気移動制御装置の第２実施例を示す縦断面図、図４はこの水蒸気移動制御装置に設けた多孔質リング体及び保持リングを示す斜視図である。
この第２実施例は、多孔質リング体７ｂの外周に保持リング８ｂを装着させた例で、その他の構成は前記第１実施例の構成と同様であり、その説明を省略する。
【００７８】
前記保持リング８ｂは、多孔質リング体７ｂの外周面及び上面をカバーするように断面略Ｌ字状の円環体に形成され、その底面に所定の間隔で複数個の通水溝８１が形成されている。
【００７９】
保持リング８ｂ及び多孔質リング体７ｂの組み付けに際しての手順の第１例としては、保持リング８ｂを下端雄ネジ筒部３１の外周に嵌め込んで（螺合でもよい）、外筒ケーシング３の基底面３０ａに接触固定させる。その後、前記第１実施例と同様に水溶性糊剤にて乾燥済みの多孔質リング体７ｂを水溶性糊剤にて固定する。
【００８０】
手順の第２例としては、予め保持リング８ｂに多孔質リング体７ｂを装着固定させておくもので、保持リング８ｂに乾燥済みの多孔質リング体７ｂを水溶性糊剤にて固定して乾燥させ、その乾燥が完了した後、多孔質リング体７ｂを固定させた状態のまま保持リング８ｂを下端雄ネジ筒部３１の外周に嵌め込んで（螺合でもよい）、外筒ケーシング３の基底面３０ａに水溶性糊剤を介して接触固定させる。
【００８１】
第１実施例と第２実施例を比較した場合、排水経路Ｗにおける多孔質リング体７ａ、７ｂの配設位置が、第１実施例の方が第２実施例よりも排水経路Ｗの下端出口Ｗａから遠くなるので外気からの水の侵入の予防にとって都合が良い。
【００８２】
ただ、第２実施例では、多孔質リング体７ｂの組み付けに際し、多孔質リング体７ｂの損傷を最小限に済ませることができ、多孔質リング体７ｂの損傷が発生し易い乾燥行程への対策として有効であり、組み付けも容易であるという利点がある。
【図面の簡単な説明】
【００８３】
【図１】本発明の請求項１に対応した水蒸気移動制御装置の第１実施例を示す縦断面図である。
【図２】この水蒸気移動制御装置に設けた多孔質リング体及び保持リングを示す斜視図である。
【図３】本発明の請求項２に対応した水蒸気移動制御装置の第２実施例を示す縦断面図である。
【図４】この水蒸気移動制御装置に設けた多孔質リング体及び保持リングを示す斜視図である。
【図５】多孔質リング体の装着状態を示す部分拡大断面図である。
【図６】吸湿性繊維を使用した多孔質リング体の断面図である。
【図７】非吸湿性繊維を使用した多孔質リング体の断面図である。
【図８】吸湿性繊維と非吸湿性繊維の吸水による硬度変化を示すグラフである。
【符号の説明】
【００８４】
１  水蒸気移動制御装置
２  小室ユニット
２０  円筒体
２２  膜体
２３  メッシュプレート（導電性多孔体）
２４  小室
３  外筒ケーシング
３０  本体円筒部
３０ａ  基底面
３１  下端雄ネジ筒部
３１ａ  空間部
３２  取付ナット
３６  スリット
３８  通気口
３９  通気口
４  箱体等
４０  取り付け穴
４１  底壁
５０  メッシュ
５１  リング体
５２  シース状挿入チューブ
６２  
７ａ  多孔質リング体
７ｂ  多孔質リング体
８ａ  保持リング
８ｂ  保持リング
８１  通水溝
９  パッキン
Ｓ  透水空隙
Ｗ  排水経路
Ｗａ  下端出口
【図１】
2009154112.tif 000003
【図２】
2009154112.tif 000004
【図３】
2009154112.tif 000005
【図４】
2009154112.tif 000006
【図５】
2009154112.tif 000007
【図６】
2009154112.tif 000008
【図７】
2009154112.tif 000009
【図８】
2009154112.tif 000010